(57)【要約】【課題】配置部材にシート材を密着固定できるシート材固定装置を得る。【解決手段】露光部１８では、装着レバー４２が装着溝４０に装着されて後端チャック３６が回転ドラム２４の周面に装着された際に、アーム４８が回転ドラム２４を押圧して後端チャック３６が反回転ドラム２４側へ押圧されることで、押付板４６が印刷版１２を回転ドラム２４の周面に押し付けて印刷版１２が回転ドラム２４の周面に固定される。ここで、アーム４８が回転ドラム２４を押圧することで回転ドラム２４から受ける反作用Ｆの方向が、押付板４６による印刷版１２の押付位置Ａを中心としてアーム４８による回転ドラム２４の押圧位置Ｂを通過する円弧Ｒの押圧位置Ｂにおける接線Ｌに対し、反円弧Ｒ側とされている。このため、反作用Ｆによって後端チャック３６が印刷版１２を引っ張ることができ、回転ドラム２４の周面に印刷版１２を密着固定できる。【選択図】　　　図１
2004102042.tif 000002
【特許請求の範囲】
【請求項１】
シート材が配置される配置部材と、
前記配置部材に設置され、かつ、前記配置部材への設置部位の一側に押圧部が設けられると共に当該設置部位の他側に押付部が設けられ、前記押圧部において前記配置部材を押圧して反前記配置部材側へ押圧されることで前記押付部において前記シート材を前記配置部材に押し付けて前記シート材を前記配置部材に固定する固定部材と、
を備えたシート材固定装置であって、
前記押圧部が前記配置部材を押圧することで前記配置部材から受ける反作用の方向を、前記押付部による前記シート材の押付位置を中心として前記押圧部による前記配置部材の押圧位置を通過する円弧の当該押圧位置における接線に対し、反当該円弧側とした、
ことを特徴とするシート材固定装置。
【請求項２】
前記配置部材に設けられ、前記押圧部が押圧する押圧溝を備えた、ことを特徴とする請求項１記載のシート材固定装置。
【請求項３】
前記押圧部に設けられ、前記押圧部を前記配置部材側へ付勢する捩りバネを備えた、ことを特徴とする請求項１または請求項２記載のシート材固定装置。
【発明の詳細な説明】
【０００１】
【発明の属する技術分野】
本発明は、シート材を固定するシート材固定装置に関する。
【０００２】
【従来の技術】
印刷版露光装置としては、シート状の印刷版（例えば所謂フォトポリプレートやサーマルプレート）における画像形成層（感光層や感熱層等）に、直接レーザビーム等で画像を記録（露光）するものが開発されてきている。
【０００３】
この印刷版露光装置は、例えば回転ドラムを備えている。回転ドラムは円筒状とされて両端が閉塞されており、回転ドラムの周面には種々のサイズの印刷版が搬送される。回転ドラムの周面には吸引穴及び吸引溝が形成されており、吸引穴は回転ドラム内に連通されると共に、吸引溝は吸引穴に連通されている。ここで、回転ドラムの周面に印刷版が搬送されると、回転ドラム内が減圧されて回転ドラムの周面と内面との間に圧力差が作られると共に、回転ドラムが回転されることで、吸引穴及び吸引溝を介して印刷版が回転ドラムの周面に吸着されつつ巻き付けられて、印刷版が回転ドラムの周面に密着される。
【０００４】
回転ドラムの近傍には記録ヘッド部が設置されており、回転ドラムの周面に密着されて巻き付けられた印刷版に、回転ドラムが高速回転されつつ、記録ヘッド部から光ビームが照射されることで、印刷版が露光処理される構成である。
【０００５】
ここで、上述の如く印刷版が回転ドラムの周面に密着されて巻き付けられるため、印刷版の露光処理の際にピントボケが発生することを防止でき、良好な画像を得ることができる。
【０００６】
しかしながら、このような印刷版露光装置では、回転ドラムの周面に印刷版を密着させて巻き付ける構造に、回転ドラム内を減圧する機構が必要であるため、コストが高いという問題がある。
【０００７】
さらに、印刷版を回転ドラムの周面に密着させて巻き付けるためには、印刷版を回転ドラムの周面に吸着させつつ回転ドラムを回転させる必要がある。このため、印刷版を回転ドラムの周面に密着させて巻き付ける際には、回転ドラムを低速で回転させる必要があるという問題もある。
【０００８】
またここで、回転ドラムに、印刷版の先端（前端）を先端チャックにより固定すると共に、印刷版の後端を後端チャックにより固定する画像露光装置がある（例えば、特許文献１参照）。
【０００９】
この画像露光装置では、後端チャックに板ばねが設けられており、板ばねが後端チャックを付勢することで、回転ドラムの周面と後端チャックとの間で印刷版の後端を狭持して回転ドラムに固定する。また、回転ドラムの周面には装着溝が形成されており、装着溝の底面に板ばねが当接することで、板ばねが回転ドラムの周面を損傷させることが防止されている。
【００１０】
しかしながら、この画像露光装置では、回転ドラムの周面に印刷版を密着固定させることに関しては、特に考慮されていない。
【００１１】
【特許文献１】
特開２００１−１２１６７７公報
【００１２】
【発明が解決しようとする課題】
本発明は上記事実を考慮し、配置部材にシート材を低コストで密着固定できるシート材固定装置を得ることが目的である。
【００１３】
【課題を解決するための手段】
請求項１に記載のシート材固定装置は、シート材が配置される配置部材と、前記配置部材に設置され、かつ、前記配置部材への設置部位の一側に押圧部が設けられると共に当該設置部位の他側に押付部が設けられ、前記押圧部において前記配置部材を押圧して反前記配置部材側へ押圧されることで前記押付部において前記シート材を前記配置部材に押し付けて前記シート材を前記配置部材に固定する固定部材と、を備えたシート材固定装置であって、前記押圧部が前記配置部材を押圧することで前記配置部材から受ける反作用の方向を、前記押付部による前記シート材の押付位置を中心として前記押圧部による前記配置部材の押圧位置を通過する円弧の当該押圧位置における接線に対し、反当該円弧側とした、ことを特徴としている。
【００１４】
請求項１に記載のシート材固定装置では、配置部材にシート材が配置されると共に固定部材が配置部材に設置され、かつ、固定部材の配置部材への設置部位の一側に押圧部が設けられると共に、固定部材の当該設置部位の他側に押付部が設けられている。また、固定部材が押圧部において配置部材を押圧して、固定部材が反配置部材側へ押圧されることで、固定部材が押付部においてシート材を配置部材に押し付けて、シート材が配置部材に固定される。
【００１５】
ここで、押圧部が配置部材を押圧することで配置部材から受ける反作用の方向が、押付部によるシート材の押付位置を中心として押圧部による配置部材の押圧位置を通過する円弧の当該押圧位置における接線に対し、反当該円弧側とされている。このため、当該反作用によって固定部材がシート材を引っ張ることができ、これにより、シート材を緊張させることができて、配置部材にシート材を密着固定できる。
【００１６】
しかも、当該反作用の方向を当該接線に対し反当該円弧側とするのみで配置部材にシート材を密着固定できるため、配置部材にシート材を密着固定する構成を低コストで実現することができる。
【００１７】
請求項２に記載のシート材固定装置は、請求項１に記載のシート材固定装置において、前記配置部材に設けられ、前記押圧部が押圧する押圧溝を備えた、ことを特徴としている。
【００１８】
請求項２に記載のシート材固定装置では、固定部材の押圧部が配置部材を押圧溝において押圧するため、押圧部が配置部材を上記接線に対し上記円弧側へ押圧し易くなり、上記反作用の方向を上記接線に対し反上記円弧側とする構成を容易に実現することができる。
【００１９】
請求項３に記載のシート材固定装置は、請求項１または請求項２記載のシート材固定装置において、前記押圧部に設けられ、前記押圧部を前記配置部材側へ付勢する捩りバネを備えた、ことを特徴としている。
【００２０】
請求項３に記載のシート材固定装置では、固定部材の押圧部に設けられた捩りバネが押圧部を配置部材側へ付勢するため、押圧部が配置部材を上記接線に対し上記円弧側へ一層押圧し易くなり、上記反作用の方向を上記接線に対し反上記円弧側とする構成を一層容易に実現することができる。
【００２１】
【発明の実施の形態】
図５には、本発明のシート材固定装置が適用されて構成された実施の形態に係る印刷版自動露光装置１０が側面図にて示されている。
【００２２】
本実施の形態に係る印刷版自動露光装置１０は、シート材としてのフォトポリプレートやサーマルプレート等の印刷版１２における支持体上の画像形成層（感光層や感熱層等）に画像を露光（記録）するものである。印刷版自動露光装置１０は、搬送ガイドユニット１４とパンチ部１６と露光部１８とに分かれており、搬送ガイドユニット１４の前方にパンチ部１６及び露光部１８が配置されると共に、パンチ部１６の下方に露光部１８が配置されている。
【００２３】
搬送ガイドユニット１４は、略四角形平板状の給版ガイド２０と、略四角形平板状の排版ガイド２２と、を有しており、給版ガイド２０と排版ガイド２２とは互いの相対位置関係が横Ｖ字型とされている。搬送ガイドユニット１４は、図５の中央付近を中心として所定角度回動する構造となっており、この回動によって、給版ガイド２０や排版ガイド２２を選択的にパンチ部１６や露光部１８に対応させることができる。また、給版ガイド２０上には、印刷版１２が供給される。
【００２４】
ここで、搬送ガイドユニット１４が回動されて給版ガイド２０がパンチ部１６に対応（対向）されることで、給版ガイド２０上の印刷版１２の前端部がパンチ部１６内に搬送されて、パンチ部１６によって印刷版１２の前端部に例えば円孔と長孔等の所定数のパンチ孔（図示省略）が穿孔される。パンチ部１６での処理が終了すると、印刷版１２が給版ガイド２０上へ戻される。
【００２５】
露光部１８は、配置部材としての回転ドラム２４を備えており、回転ドラム２４は円柱状とされて、周方向両側（図５の矢印Ａ及び矢印Ｂの方向）へ回転可能とされている。回転ドラム２４の周面には、押圧溝としての装着溝４０が所定数（本実施の形態では４対）形成されており、各装着溝４０は、回転ドラム２４周面の周方向全体に亘って形成されると共に、断面台形状とされて回転ドラム２４外側部位が回転ドラム２４内側部位に比し左右方向（回転ドラム２４の回転軸方向）において小さくされている（図４参照）。
【００２６】
ここで、上述の如くパンチ部１６から給版ガイド２０上へ印刷版１２が戻されると、搬送ガイドユニット１４が回動されて給版ガイド２０が露光部１８に対応される（回転ドラム２４の接線方向に対向される）ことで、回転ドラム２４の周面上に印刷版１２の前端が搬送（配置）されて、印刷版１２が位置決めされる。
【００２７】
回転ドラム２４の周面には、印刷版１２の前端が搬送される位置において、前端チャック２６が所定数（本実施の形態では１１個）左右方向に沿って設けられている。各前端チャック２６は板状とされて回転自在に支持されており、各前端チャック２６の前側には、回転ドラム２４周面から離間される方向へ弾性力が付与されている。
【００２８】
各前端チャック２６の上方には装着カム２８が設けられており、装着カム２８が各前端チャック２６の前側を押圧することで、各前端チャック２６の後端が上記弾性力に抗して回転ドラム２４の周面から離間している。これにより、上述の如く給版ガイド２０から回転ドラム２４の周面上に搬送される印刷版１２の前端が各前端チャック２６の後端と回転ドラム２４の周面との間に挿入され、この状態で上記印刷版１２の位置決めが行われる。また、上記印刷版１２の位置決めが終了した後には、装着カム２８が回動して各前端チャック２６前側の押圧を解除することで、各前端チャック２６の後端が上記弾性力により印刷版１２の前端を回転ドラム２４の周面に押し付けて、回転ドラム２４の周面に印刷版１２の前端が固定される。その後、回転ドラム２４が図５の矢印Ａの方向へ回転されことで、印刷版１２が回転ドラム２４の周面に巻き付けられる。
【００２９】
回転ドラム２４の周面近傍には、各装着カム２８よりも図５の矢印Ａの方向側において、円柱状のスクイズローラ３０が配設されている。スクイズローラ３０は、回転ドラム２４側へ移動されることで、回転ドラム２４に巻き付けられる印刷版１２を回転ドラム２４へ向けて押圧しつつ回転され、印刷版１２を回転ドラム２４の周面に密着させる。
【００３０】
回転ドラム２４の周面近傍には、各装着カム２８とスクイズローラ３０との間において、後端チャック着脱ユニット３２が配設されており、上述の如く回転ドラム２４の周面に巻き付けられる印刷版１２の後端が後端チャック着脱ユニット３２に対向する位置で回転ドラム２４が一時停止される。
【００３１】
後端チャック着脱ユニット３２には昇降フレーム３４が設けられており、昇降フレーム３４は回転ドラム２４の周面に接近可能とされている。昇降フレーム３４の下方には、固定部材としての後端チャック３６が所定数（本実施の形態では４つ）左右方向に沿って保持されており、各後端チャック３６は長方形板状とされている。
【００３２】
図１乃至図３に示す如く、後端チャック３６には、右側部位の略中央及び左側部位の略中央においてそれぞれ、設置部位としての装着レバー４２が設けられており、各装着レバー４２は後端チャック３６に対し回転可能とされている。
【００３３】
各後端チャック３６の下端には固定コマ４４が固定されており、各固定コマ４４は後端チャック３６の底面から突出している。固定コマ４４は、一方向が長尺かつ他方向が短尺とされた長方体状とされており、固定コマ４４の長尺方向において対向する各側面は、下側が上側に比し徐々に拡径された傾斜面とされると共に、横断面が装着レバー４２の回転中心軸を中心とした円弧状とされている。また、図４（Ａ）に示す如く、固定コマ４４は、長尺方向が前後方向に平行とされると共に、短尺方向が左右方向に平行とされている。
【００３４】
後端チャック３６の前端には、右側部位及び左側部位（各装着レバー４２の前側（他側）部位）の下端においてそれぞれ、押付部としての長尺板状の押付板４６（版咥え部）が設けられている。押付板４６の表面はゴムコーティングされており、押付板４６の摩擦係数が大きくされている。
【００３５】
後端チャック３６の後側には、各装着レバー４２後側（一側）の底部においてそれぞれ、押圧部としてのアーム４８が設けられている。アーム４８は、略長方体棒状とされて上端に円筒状の支持軸５０が固定されており、アーム４８は支持軸５０において後端チャック３６に回転可能に支持されている。アーム４８は後端チャック３６の底面から突出されており、アーム４８の下側は回転ドラム２４の周面から離間する方向へ屈曲されると共に、アーム４８下端の回転ドラム２４側角部表面は断面円状（曲面状）とされている。
【００３６】
アーム４８の支持軸５０には、与圧バネとして捩りバネ５２（捩りコイルバネ）が挿通されており、捩りバネ５２は、一端がアーム４８に係止されると共に他端が後端チャック３６に係止されることで、アーム４８をその下側が回転ドラム２４の周面に向かう方向へ付勢している。
【００３７】
ここで、上述の如く回転ドラム２４に巻き付けられる印刷版１２の後端が後端チャック着脱ユニット３２に対向すると、昇降フレーム３４が回転ドラム２４の周面に接近されることで、各後端チャック３６が回転ドラム２４の周面に接触する。これにより、図４（Ａ）に示す如く各装着レバー４２の固定コマ４４が回転ドラム２４の各装着溝４０に挿入され、この状態で、昇降フレーム３４によって各装着レバー４２が９０度正回転されることで、図４（Ｂ）に示す如く各固定コマ４４の長尺方向が左右方向とされて各装着レバー４２の各装着溝４０からの離脱が不能になり、各後端チャック３６が回転ドラム２４の周面に装着（設置）される。
【００３８】
各後端チャック３６が回転ドラム２４の周面に装着された際には、各アーム４８の下端が各装着溝４０に挿入されて各装着溝４０の底面を押圧することで、各後端チャック３６前端の各押付板４６が各捩りバネ５２の付勢力により印刷版１２の後端を回転ドラム２４の周面に押し付けて、回転ドラム２４の周面に印刷版１２の後端が固定される。
【００３９】
ここで、各アーム４８の下端が各装着溝４０の底面を押圧することで各装着溝４０の底面から受ける反作用Ｆの方向は、各押付板４６による印刷版１２の押付位置Ａを中心として各アーム４８の下端による各装着溝４０底面の押圧位置Ｂを通過する円弧Ｒの押圧位置Ｂにおける接線Ｌに対し、反円弧Ｒ側とされている。
【００４０】
また、各後端チャック３６が回転ドラム２４の周面に装着された際には、昇降フレーム３４による各後端チャック３６の保持が解除され、その後、昇降フレーム３４が回転ドラム２４の周面（各後端チャック３６）から離間される。
【００４１】
このように、各前端チャック２６及び各後端チャック３６によって印刷版１２の前端及び後端が回転ドラム２４の周面に固定されると、スクイズローラ３０が回転ドラム２４から離間された後に、回転ドラム２４が所定の回転速度で高速回転される。
【００４２】
図５に示す如く、回転ドラム２４周面の後側近傍には、記録ヘッド３８が配設されており、記録ヘッド３８は、高速回転される回転ドラム２４に向け、この回転ドラム２４の回転に同期させて、読み込まれた画像データに基づいて変調した光ビームを照射し、これにより、印刷版１２が画像データに基づいて露光される。この露光処理は、回転ドラム２４を高速で回転させながら（主走査）、記録ヘッド３８を回転ドラム２４の軸線方向へ移動させる（副走査）、所謂走査露光である。
【００４３】
この印刷版１２への露光処理が終了すると、各後端チャック３６が後端チャック着脱ユニット３２に対向する位置で回転ドラム２４が一時停止されて、昇降フレーム３４が回転ドラム２４の周面（各後端チャック３６）に接近される。その後、昇降フレーム３４によって各装着レバー４２が９０度逆回転されることで、図４（Ａ）に示す如く各固定コマ４４の長尺方向が前後方向とされて各装着レバー４２を各装着溝４０から離脱可能になり、各後端チャック３６の回転ドラム２４周面への装着が解除されて、各後端チャック３６前端の各押付板４６による回転ドラム２４周面への印刷版１２後端の固定が解除される。
【００４４】
各後端チャック３６の回転ドラム２４周面への装着が解除された際には、昇降フレーム３４に各後端チャック３６が保持され、その後、昇降フレーム３４が各後端チャック３６と共に回転ドラム２４の周面から離間される。
【００４５】
さらに、搬送ガイドユニット１４が回動されて排版ガイド２２が露光部１８に対応された（回転ドラム２４の接線方向に対向された）後、回転ドラム２４が図５の矢印Ｂの方向へ回転されることで、印刷版１２が後端側から排版ガイド２２上へ排出される。この際、装着カム２８が回動されて各前端チャック２６の前側を押圧することで、各前端チャック２６の後端による印刷版１２前端の固定が解除される。また、印刷版１２が排版ガイド２２に送られると、搬送ガイドユニット１４が回動されて、排版ガイド２２から印刷版１２が排出され、これにより、印刷版１２が印刷版自動露光装置１０に隣接する次工程の現像装置または印刷装置（図示省略）へ搬送される構成である。
【００４６】
次に、本実施の形態の作用を説明する。
【００４７】
以上の構成の印刷版自動露光装置１０では、印刷版１２を給版ガイド２０に載置すると、先ず、搬送ガイドユニット１４を回動させて給版ガイド２０をパンチ部１６に対応させることで、印刷版１２の前端部をパンチ部１６内に搬送する。パンチ部１６内に搬送された印刷版１２は、前端部にパンチ部１６により所定数のパンチ孔が穿孔された後、給版ガイド２０上に戻される。
【００４８】
さらに、搬送ガイドユニット１４を回動させて給版ガイド２０を露光部１８に対応させることで、印刷版１２を露光部１８へ搬送して、位置決めする。位置決めされた印刷版１２は、前端と後端とがそれぞれ前端チャック２６と後端チャック３６とによって回転ドラム２４の周面に固定されると共にスクイズローラ３０によって回転ドラム２４の周面に密着されつつ、回転ドラム２４の周面に巻き付けられる。回転ドラム２４の周面に印刷版１２を巻き付けると、回転ドラム２４を高速回転させた状態で、記録ヘッド３８から光ビームを印刷版１２へ照射することで、露光処理を行う。
【００４９】
露光処理が終了すると、搬送ガイドユニット１４を回動させて排版ガイド２２を回転ドラム２４へ対応させると共に、前端チャック２６及び後端チャック３６による印刷版１２の回転ドラム２４周面への保持を解除しつつ、印刷版１２を回転ドラム２４から排版ガイド２２へ排出する。その後、搬送ガイドユニット１４を回動させて排版ガイド２２から印刷版１２を排出する。
【００５０】
ところで、図１に示す如く、露光部１８の後端チャック３６は、装着レバー４２が回転ドラム２４の装着溝４０から離脱不能になることで、回転ドラム２４の周面に装着（設置）される。さらに、後端チャック３６は、装着レバー４２の前側に押付板４６が設けられると共に、装着レバー４２の後側にアーム４８が設けられている。
【００５１】
後端チャック３６が回転ドラム２４の周面に装着された際には、後端チャック３６がアーム４８の下端において回転ドラム２４を押圧して、後端チャック３６が反回転ドラム２４側へ押圧されることで、後端チャック３６が押付板４６において印刷版１２の後端を回転ドラム２４の周面に押し付けて、印刷版１２の後端が回転ドラム２４の周面に固定される。
【００５２】
ここで、アーム４８の下端が回転ドラム２４を押圧することで回転ドラム２４から受ける反作用Ｆの方向が、押付板４６による印刷版１２の押付位置Ａを中心としてアーム４８の下端による回転ドラム２４の押圧位置Ｂを通過する円弧Ｒの押圧位置Ｂにおける接線Ｌに対し、反円弧Ｒ側とされている。このため、反作用Ｆによって後端チャック３６が印刷版１２を印刷版１２の中央から後端へ向けて引っ張ることができ、これにより、印刷版１２を緊張させることができて、回転ドラム２４の周面に印刷版１２を密着固定できる。したがって、印刷版１２の露光処理の際にピントボケが発生することを防止でき、良好な画像を得ることができる。
【００５３】
しかも、反作用Ｆの方向を接線Ｌに対し反円弧Ｒ側とするのみで回転ドラム２４の周面に印刷版１２を密着固定できるため、回転ドラム２４の周面に印刷版１２を密着固定する構成を低コストで実現することができる。
【００５４】
また、後端チャック３６のアーム４８が回転ドラム２４の装着溝４０に挿入されて回転ドラム２４を装着溝４０の底面において押圧するため、アーム４８が回転ドラム２４を接線Ｌに対し円弧Ｒ側へ押圧し易くなり、反作用Ｆの方向を接線Ｌに対し反円弧Ｒ側とする構成を容易に実現することができる。
【００５５】
さらに、後端チャック３６のアーム４８に設けられた捩りバネ５２がアーム４８を回転ドラム２４側へ付勢するため、アーム４８が回転ドラム２４を接線Ｌに対し円弧Ｒ側へ一層押圧し易くなり、反作用Ｆの方向を接線Ｌに対し反円弧Ｒ側とする構成を一層容易に実現することができる。
【００５６】
また、上述の如く、反作用Ｆによって後端チャック３６が印刷版１２を引っ張ることで回転ドラム２４の周面に印刷版１２を密着固定するため、回転ドラム２４の周面に印刷版１２を巻き付ける際に回転ドラム２４を低速で回転させる必要をなくすことができる。
【００５７】
なお、本実施の形態では、本発明を後端チャック３６に適用した構成としたが、本発明を前端チャックに適用した構成としてもよい。
【００５８】
【発明の効果】
請求項１に記載のシート材固定装置では、押圧部が配置部材を押圧することで配置部材から受ける反作用の方向が、押付部によるシート材の押付位置を中心として押圧部による配置部材の押圧位置を通過する円弧の当該押圧位置における接線に対し、反当該円弧側とされている。このため、当該反作用によって固定部材がシート材を引っ張ることができ、配置部材にシート材を密着固定できる。しかも、当該反作用の方向を当該接線に対し反当該円弧側とするのみで配置部材にシート材を密着固定できるため、配置部材にシート材を密着固定する構成を低コストで実現することができる。
【００５９】
請求項２に記載のシート材固定装置では、押圧部が配置部材を押圧溝において押圧するため、押圧部が配置部材を上記接線に対し上記円弧側へ押圧し易くなり、上記反作用の方向を上記接線に対し反上記円弧側とする構成を容易に実現することができる。
【００６０】
請求項３に記載のシート材固定装置では、固定部材の押圧部に設けられた捩りバネが押圧部を配置部材側へ付勢するため、押圧部が配置部材を上記接線に対し上記円弧側へ一層押圧し易くなり、上記反作用の方向を上記接線に対し反上記円弧側とする構成を一層容易に実現することができる。
【図面の簡単な説明】
【図１】本発明の実施の形態に係る印刷版自動露光装置の後端チャックを示す側面図である。
【図２】本発明の実施の形態に係る印刷版自動露光装置の後端チャックを示す底面側からの斜視図である。
【図３】本発明の実施の形態に係る印刷版自動露光装置の後端チャックを示す上面側からの斜視図である。
【図４】本発明の実施の形態に係る印刷版自動露光装置における後端チャックの装着レバー及び回転ドラムの装着溝を示す断面図であり、（Ａ）は、後端チャックの回転ドラムへの装着が解除された際を示す図であり、（Ｂ）は、後端チャックが回転ドラムへ装着された際を示す図である。
【図５】本発明の実施の形態に係る印刷版自動露光装置を示す概略的な側面図である。
【符号の説明】
１０　　印刷版自動露光装置
１２　　印刷版（シート材）
２４　　回転ドラム（配置部材）
３６　　後端チャック（固定部材）
４０　　装着溝（押圧溝）
４２　　装着レバー（設置部位）
４６　　押付板（押付部）
４８　　アーム（押圧部）
５２　　捩りバネ
【図１】
2004102042.tif 000003
【図２】
2004102042.tif 000004
【図３】
2004102042.tif 000005
【図４】
2004102042.tif 000006
【図５】
2004102042.tif 000007